(57)【特許請求の範囲】
【請求項１】
赤外波長域が異なる複数の照明光の内の１つを選択してこの選択した赤外の照明光で被検眼眼底を照明する照明光学系と、この選択された赤外の照明光の波長域に対応して、赤外透過波長域が異なる複数のバリアフィルタの内の１つを選択し、この選択したバリアフィルタを撮影光路に挿入して被検眼眼底を蛍光撮影する撮像手段を有する撮影光学系と、前記撮像手段で撮影した赤外の蛍光眼底像を表示する第１表示部を有する表示手段とを備えた眼底カメラにおいて、
被検眼眼底が所定の赤外波長域の照明光で照明され且つこの所定の赤外波長域に対応した赤外透過波長域のバリアフィルタが光路に挿入されて眼底の蛍光撮影が行われているとき、切換スイッチが操作された際に所定期間だけ前記所定の赤外波長域とは異なる赤外波長域の照明光と、この照明光の赤外波長域に対応したバリアフィルタとに切り換える切換手段と、
この切換手段によって照明光およびバリアフィルタが切り換わった際に、前記撮像手段が撮像した前記所定期間の赤外の蛍光眼底像を記憶する第１記憶手段とを備え、
前記表示手段は、前記第１記憶手段に記憶された赤外の蛍光眼底像を表示する第２表示部を有することを特徴とする眼底カメラ。
【請求項２】
赤外波長域が異なる複数の照明光の内の１つを選択してこの選択した赤外の照明光で被検眼眼底を照明する照明光学系と、この選択された赤外の照明光の波長域に対応して、赤外透過波長域が異なる複数のバリアフィルタの内の１つを選択し、この選択したバリアフィルタを撮影光路に挿入して被検眼眼底を蛍光撮影する撮像手段を有する撮影光学系と、前記撮像手段で撮影した赤外の蛍光眼底像を表示する第１表示部を有する表示手段とを備えた眼底カメラにおいて、
被検眼眼底が短波長域の赤外の照明光で照明され且つ赤外透過波長域が短波長域のバリアフィルタが光路に挿入されて眼底の蛍光撮影が行われているとき、切換スイッチが操作された際に所定期間だけ長波長域の赤外の照明光に切り換える照明光切換手段と、
この照明光切換手段の切り換に同期して、短波長域のバリアフィルタから長波長域のバリアフィルタに切り換えるフィルタ切換手段と、
前記照明光切換手段およびフィルタ切換手段によって長波長域の赤外の照明光および長波長域のバリアフィルタに切り換わった際、前記撮像手段が撮像した前記所定期間の赤外の蛍光眼底像を記憶する第１記憶手段とを備え、
前記表示手段は、前記第１記憶手段に記憶された赤外の蛍光眼底像を表示する第２表示部を有することを特徴とする眼底カメラ。
【請求項３】
前記照明光およびバリアフィルタが切り換えられる際に、その切り換え直前に撮像手段が撮像した蛍光眼底像を記憶する第２記憶手段と、
前記撮像手段が出力する映像信号のうち、照明光およびバリアフィルタが切り換わった状態のときに撮像された映像信号を、前記第２記憶手段に記憶された蛍光眼底像の映像信号に入れ換える画像処理手段とを設けたことを特徴とする請求項１ないし請求項２の眼底カメラ。
【請求項４】
前記第１記憶手段に記憶されている蛍光眼底像と第２記憶手段に記憶されている蛍光眼底像とを比較してどちらの蛍光眼底像が鮮明であるか否かを判断する鮮明度判断手段と、
この鮮明度判断手段の判断に基づいて前記切換手段を制御して、より鮮明な蛍光眼底像を得る波長域の照明光で眼底を照明させるとともにその照明光の波長域に対応したバリアフィルタを光路に挿入させる制御手段とを設けたことを特徴とする請求項３の眼底カメラ。
【請求項５】
前記切換手段は撮像手段の垂直同期信号に同期して照明光およびバリアフィルタを切り換えることを特徴とする請求項１ないし請求項４の眼底カメラ。
【請求項６】
波長域が異なる複数の照明光の内の１つを選択してこの選択した照明光で被検眼眼底を照明する照明光学系と、この選択された照明光の波長域に対応して、透過波長域が異なる複数のバリアフィルタの内の１つを選択し、この選択したバリアフィルタを撮影光路に挿入して被検眼眼底を蛍光撮影する撮像手段を有する撮影光学系とを備えた眼底カメラにおいて、
前記複数の照明光の内短波長域の照明光と長波長域の照明光とを交互に選択して照明光を切り換える照明光切換手段と、
前記照明光切換手段の切り換えに同期し且つ照明光の波長域に対応させて短波長域のバリアフィルタと長波長域のバリアフィルタとを交互に切り換えるフィルタ切換手段とを設けたことを特徴とする眼底カメラ。
【請求項７】
前記短波長域の照明光で眼底が照明され且つ短波長域のバリアフィルタが光路に挿入されたときに撮像した蛍光眼底像を記憶する第１記憶手段と、
前記長波長域の照明光で眼底が照明され且つ長波長域のバリアフィルタが光路に挿入されたときに撮像した蛍光眼底像を記憶する第２記憶手段と、
前記第１記憶手段に記憶されている蛍光眼底像と第２記憶手段に記憶されている蛍光眼底像とを比較してどちらの蛍光眼底像が鮮明であるか否かを判断する鮮明度判断手段と、
この鮮明度判断手段の判断に基づいて、第１記憶手段または第２記憶手段に記憶された蛍光眼底像を表示する表示手段とを設けたたことを特徴とする請求項６の眼底カメラ。
【請求項８】
前記短波長域の照明光で眼底が照明され且つ短波長域のバリアフィルタが光路に挿入されたときに撮像した蛍光眼底像を記憶する第１記憶手段と、
前記長波長域の照明光で眼底が照明され且つ長波長域のバリアフィルタが光路に挿入されたときに撮像した蛍光眼底像を記憶する第２記憶手段と、
前記第１記憶手段に記憶された蛍光眼底像と第２記憶手段に記憶された蛍光眼底像とを重ねる合成手段と、
合成手段によって合成された眼底像を表示する表示手段とを設けたことを特徴とする請求項６の眼底カメラ。
【請求項９】
前記照明光切換手段およびフィルタ切換手段は撮像手段の垂直同期信号に同期して照明光およびバリアフィルタを切り換えることを特徴とする請求項６ないし請求項８の眼底カメラ。
【請求項１０】
透過する赤外光の特定波長域がそれぞれ異なる複数のエキサイタフィルタの内選択した特定波長域のエキサイタフィルタを照明光路に挿入して、選択した特定波長域の赤外の照明光で被検眼眼底を照明する照明光学系と、透過する赤外光の特定波長域がそれぞれ異なる複数のバリアフィルタの内選択した特定波長域のバリアフィルタを撮影光路に挿入して被検眼眼底を蛍光撮影する撮影光学系と、前記撮像手段で撮影した赤外の蛍光眼底像を表示する第１表示部を有する表示手段とを備えた眼底カメラにおいて、
赤外透過波長域が短波長域のエキサイタフィルタおよびバリアフィルタが光路に挿入されて眼底の蛍光撮影が行われているとき、切換スイッチが操作された際に所定期間だけ短波長域のエキサイタフィルタおよびバリアフィルタから長波長域のエキサイタフィルタおよびバリアフィルタに切り換えるフィルタ切換手段と、
このフィルタ切換手段によって長波長域のエキサイタフィルタおよびバリアフィルタに切り換わった際、前記撮像手段が撮像した前記所定期間の赤外の蛍光眼底像を記憶する第１記憶手段とを備え、
前記表示手段は、前記第１記憶手段に記憶された赤外の蛍光眼底像を表示する第２表示部を有することを特徴とする眼底カメラ。
【請求項１１】
前記エキサイタフィルタおよびバリアフィルタが切り換えられる際に、その切り換え直前に撮像手段が撮像した蛍光眼底像を記憶する第２記憶手段と、
前記撮像手段が出力する映像信号のうち、照明光およびバリアフィルタが切り換わった状態のときに撮像された映像信号を、前記第２記憶手段に記憶された蛍光眼底像の映像信号に入れ換える画像処理手段とを設けたことを特徴とする請求項１０の眼底カメラ。
【請求項１２】
前記第１記憶手段に記憶されている蛍光眼底像と第２記憶手段に記憶されている蛍光眼底像とを比較してどちらの蛍光眼底像が鮮明であるか否かを判断する鮮明度判断手段と、
この鮮明度判断手段の判断に基づいて前記切換手段を制御して、より鮮明な蛍光眼底像を得る波長域の照明光で眼底を照明させるとともにその照明光の波長域に対応したバリアフィルタを光路に挿入させる制御手段とを設けたことを特徴とする請求項１１の眼底カメラ。
【発明の詳細な説明】
【０００１】
【産業上の利用分野】
この発明は、蛍光撮影が可能な眼底カメラに関する。
【０００２】
【従来の技術】
従来、蛍光撮影が可能な眼底カメラとして特開平６−１１４００９号公報に記載されているものが知られている。
【０００３】
かかる眼底カメラは、７８０nmの波長の赤外光を透過するエキサイタフィルタＦ1と、８０５nmの波長の赤外光を透過するエキサイタフィルタＦ2と、８２０nmの波長の赤外光を透過するバリアフィルタＢ1と、８３５nmの波長の赤外光を透過するバリアフィルタＢ2とを備えている。
【０００４】
蛍光撮影する場合には、先ずエキサイタフィルタＦ1およびバリアフィルタＢ1を照明光路および撮影光路に挿入して、７８０nmの波長の赤外光で眼底を照明し、該眼底から発する８２０nmの波長の赤外蛍光で眼底を撮影する。そして、所定時間経過後には、エキサイタフィルタＦ2およびバリアフィルタＢ2に交換して８０５nmの波長の赤外光で眼底を照明し、該眼底から発する８３５nmの波長の赤外蛍光で眼底を撮影している。
【０００５】
これは、被検者に蛍光剤であるＩＣＧ（インドシアグリーン）を静注すると、所定時間経過後に血液中のアルブミンとＩＣＧが結合し、この結果、眼底に流入してきた蛍光剤の吸収波長が７８０nmから８０５nmに変化するとともに眼底から発する赤外蛍光の波長が８２０nmから８３５nmに変化するからである。
【０００６】
【発明が解決しようとする課題】
しかしながら、ＩＣＧが血液中のアルブミンと結合するまでの時間は個人差があり、また、静注するスピードによっても血液中のアルブミンと結合するまでの時間は異なる。このため、静注してからの経過時間をタイマで測定し、このタイマの測定時間に基づいてエキサイタフィルタＦ1およびバリアフィルタＢ1を交換して撮影しても、蛍光剤の吸収波長の変化時期とフィルタＦ1,Ｂ1の交換時期とが必ずしも一致しない。このため、蛍光剤の吸収波長の変化時期の前後で鮮明な蛍光像を得ることができないという問題があった。
【０００７】
この発明は、上記問題点に鑑みてなされたもので、その目的は、蛍光剤の吸収波長の変化時期の個人差や静注するスピードに拘りなく、常に輝度の高い鮮明な蛍光像を得ることのできる眼底カメラを提供することにある。
【０００８】
【課題を解決するための手段】
上記目的を達成するため、請求項１の発明では、赤外波長域が異なる複数の照明光の内の１つを選択してこの選択した赤外の照明光で被検眼眼底を照明する照明光学系と、この選択された赤外の照明光の波長域に対応して、赤外透過波長域が異なる複数のバリアフィルタの内の１つを選択し、この選択したバリアフィルタを撮影光路に挿入して被検眼眼底を蛍光撮影する撮像手段を有する撮影光学系と、前記撮像手段で撮影した赤外の蛍光眼底像を表示する第１表示部を有する表示手段とを備えた眼底カメラにおいて、
被検眼眼底が所定の赤外波長域の照明光で照明され且つこの所定の赤外波長域に対応した赤外透過波長域のバリアフィルタが光路に挿入されて眼底の蛍光撮影が行われているとき、切換スイッチが操作された際に所定期間だけ前記所定の赤外波長域とは異なる赤外波長域の照明光と、この照明光の赤外波長域に対応したバリアフィルタとに切り換える切換手段と、
この切換手段によって照明光およびバリアフィルタが切り換わった際に、前記撮像手段が撮像した前記所定期間の赤外の蛍光眼底像を記憶する第１記憶手段とを備え、
前記表示手段は、前記第１記憶手段に記憶された赤外の蛍光眼底像を表示する第２表示部を有することを特徴とする。
【０００９】
請求項２の発明では、赤外波長域が異なる複数の照明光の内の１つを選択してこの選択した赤外の照明光で被検眼眼底を照明する照明光学系と、この選択された赤外の照明光の波長域に対応して、赤外透過波長域が異なる複数のバリアフィルタの内の１つを選択し、この選択したバリアフィルタを撮影光路に挿入して被検眼眼底を蛍光撮影する撮像手段を有する撮影光学系と、前記撮像手段で撮影した赤外の蛍光眼底像を表示する第１表示部を有する表示手段とを備えた眼底カメラにおいて、
被検眼眼底が短波長域の赤外の照明光で照明され且つ赤外透過波長域が短波長域のバリアフィルタが光路に挿入されて眼底の蛍光撮影が行われているとき、切換スイッチが操作された際に所定期間だけ長波長域の赤外の照明光に切り換える照明光切換手段と、
この照明光切換手段の切り換に同期して、短波長域のバリアフィルタから長波長域のバリアフィルタに切り換えるフィルタ切換手段と、
前記照明光切換手段およびフィルタ切換手段によって長波長域の赤外の照明光および長波長域のバリアフィルタに切り換わった際、前記撮像手段が撮像した前記所定期間の赤外の蛍光眼底像を記憶する第１記憶手段とを備え、
前記表示手段は、前記第１記憶手段に記憶された赤外の蛍光眼底像を表示する第２表示部を有することを特徴とする。
【００１０】
請求項６の発明では、波長域が異なる複数の照明光の内の１つを選択してこの選択した照明光で被検眼眼底を照明する照明光学系と、この選択された照明光の波長域に対応して、透過波長域が異なる複数のバリアフィルタの内の１つを選択し、この選択したバリアフィルタを撮影光路に挿入して被検眼眼底を蛍光撮影する撮像手段を有する撮影光学系とを備えた眼底カメラにおいて、
前記複数の照明光の内短波長域の照明光と長波長域の照明光とを交互に選択して照明光を切り換える照明光切換手段と、
前記照明光切換手段の切り換えに同期し且つ照明光の波長域に対応させて短波長域のバリアフィルタと長波長域のバリアフィルタとを交互に切り換えるフィルタ切換手段とを設けたことを特徴とする。
請求項１０の発明では、透過する赤外光の特定波長域がそれぞれ異なる複数のエキサイタフィルタの内選択した特定波長域のエキサイタフィルタを照明光路に挿入して、選択した特定波長域の赤外の照明光で被検眼眼底を照明する照明光学系と、透過する赤外光の特定波長域がそれぞれ異なる複数のバリアフィルタの内選択した特定波長域のバリアフィルタを撮影光路に挿入して被検眼眼底を蛍光撮影する撮影光学系と、前記撮像手段で撮影した赤外の蛍光眼底像を表示する第１表示部を有する表示手段とを備えた眼底カメラにおいて、
赤外透過波長域が短波長域のエキサイタフィルタおよびバリアフィルタが光路に挿入されて眼底の蛍光撮影が行われているとき、切換スイッチが操作された際に所定期間だけ短波長域のエキサイタフィルタおよびバリアフィルタから長波長域のエキサイタフィルタおよびバリアフィルタに切り換えるフィルタ切換手段と、
このフィルタ切換手段によって長波長域のエキサイタフィルタおよびバリアフィルタに切り換わった際、前記撮像手段が撮像した前記所定期間の赤外の蛍光眼底像を記憶する第１記憶手段とを備え、
前記表示手段は、前記第１記憶手段に記憶された赤外の蛍光眼底像を表示する第２表示部を有することを特徴とする
【００１１】
【作用】
請求項１の発明によれば、被検眼眼底が所定の波長域の赤外の照明光で照明され且つこの所定の波長域に対応した赤外透過波長域のバリアフィルタが光路に挿入されて眼底の蛍光撮影が行われているとき、この撮影による蛍光眼底像が表示手段の第１表示部に表示され、この撮影中に切換スイッチが操作されると、この操作の際の所定期間だけ切換手段が所定の波長域とは異なる波長域の赤外の照明光と、この照明光の波長域に対応したバリアフィルタとに切り換え、このバリアフィルタが切り換わった際に、前記撮像手段が撮像した前記所定期間の蛍光眼底像を第１記憶手段が記憶し、表示手段の第２表示部が第１記憶手段に記憶された蛍光眼底像を表示する。
【００１２】
請求項２の発明によれば、被検眼眼底が短波長域の赤外の照明光で照明され且つ短波長域のバリアフィルタが光路に挿入されて眼底の蛍光撮影が行われているとき、この撮影による蛍光眼底像が表示手段の第１表示部に表示され、この撮影中に切換スイッチが操作されると、この操作の際の所定期間だけ照明光切換手段が長波長域の赤外の照明光に切り換え、フィルタ切換手段が照明光切換手段の切り換えに同期して赤外短波長域のバリアフィルタから赤外長波長域のバリアフィルタに切り換え、この照明光およびバリアフィルタが切り換わった際に、撮像手段が撮像した前記所定期間の蛍光眼底像を第１記憶手段が記憶し、表示手段の第２表示部が記憶手段に記憶された蛍光眼底像を表示する。
請求項１０の発明によれば、赤外透過波長域が短波長域のエキサイタフィルタおよびバリアフィルタが光路に挿入されて眼底の蛍光撮影が行われているとき、この撮影による蛍光眼底像が表示手段の第１表示部に表示され、この撮影中に切換スイッチが操作されると、この操作の際の所定期間だけフィルタ切換手段が短波長域のエキサイタフィルタおよびバリアフィルタから長波長域のエキサイタフィルタおよびバリアフィルタに切り換え、この切換手段によってエキサイタフィルタおよびバリアフィルタが切り換わった際に、前記撮像手段が撮像した前記所定期間の蛍光眼底像を第１記憶手段が記憶し、表示手段の第２表示部が第１記憶手段に記憶された蛍光眼底像を表示する。
【００１３】
請求項６の発明によれば、照明光切換手段が複数の照明光の内短波長域の照明光と長波長域の照明光とを交互に選択して照明光を切り換え、フィルタ切換手段が照明光切換手段の切り換えに同期し且つ照明光の波長域に対応させて短波長域のバリアフィルタと長波長域のバリアフィルタとを交互に切り換える。
【００１４】
【実施例】
以下、この発明に係る眼底カメラの実施例を図面に基づいて説明する。
【００１５】
＜第１実施例＞
図１において、１０は眼底カメラの照明光学系、４０は眼底カメラの観察・撮影光学系である。
【００１６】
［照明光学系１０］
照明光学系１０は、観察用光源（例えば、ハロゲンランプ）１１、コンデンサレンズ１２、撮影光源（例えばキセノンランプ）３１、光軸Ｏ１で示す照明光路に挿脱可能な蛍光撮影用エキサイタフィルター３２,３２´、コンデンサレンズ１３、小径遮光板１４、リング状絞り１５、小径遮光板１６、リレーレンズ１７、反射ミラー１８、リレーレンズ１９、黒点板２０、リレーレンズ２１、孔空きミラー２２、対物レンズ２３で構成されている。
【００１７】
エキサイタフィルター３２は、ＩＣＧが吸収するピーク波長である７８０nmの近傍の波長の赤外光を透過し、それより長波長の光をカットする。エキサイタフィルター３２´は、８０５nmの近傍の波長の赤外光を透過し、それより長波長の光をカットするものである。これらエキサイタフィルタ３２,３２´の透過波長域特性を図２に示す。なお、Ａがエキサイタフィルタ３２の透過曲線であり、Ｂがエキサイタフィルタ３２´の透過曲線である。
【００１８】
エキサイタフィルタ３２,３２´の照明光路への挿入および光路からの離脱やエキサイタフィルタ３２,３２´の切り換はソレノイドＳ1(図３参照)によって行うものである。ソレノイドＳ1は照明光を切り換える照明光切換手段（切換手段）として機能する。
【００１９】
観察用光源１１からの観察用の照明光は、コンデンサレンズ１２から対物レンズ２３までの各光学部品を介して眼底ＥＦに投影される。また、撮影用光源３１からの撮影用の照明光は、コンデンサレンズ１３から対物レンズ２３までの各光学部品を介して眼底ＥＦに投影される。
【００２０】
小径遮光板１４は角膜ＥＣと共役であり、リング状絞り１５は瞳孔ＥＰと共役であり、小径遮光板１６は水晶体ＥＬの後面と共役である。また、黒点板２０は対物レンズ２３の表面での反射光が孔空きミラー２２の孔部２２aを通過するのを防止するためのものである。
【００２１】
［観察・撮影光学系４０］
観察・撮影光学系４０は、被検眼Ｅに臨む対物レンズ２３、孔空きミラー２２の孔部２２a、図１の光軸Ｏ２で示す観察・撮影光路に挿脱可能なバリアフィルター４１,４１´、合焦レンズ４２、結像レンズ４３、反射ミラー４４、マスク４５、フィールドレンズ４６、反射ミラー４７、リレーレンズ４８、テレビカメラ（ビデオカメラ）４９で構成されている。反射ミラー４４の右側の光軸Ｏ２の延長上には、通常肉眼観察用の光学系や３５mmカメラ等が配置されるが説明を簡単にするため省略する。なお、反射ミラー４４は肉眼観察時や３５mmカメラでの撮影時には跳ね上がるようになっている。
【００２２】
バリアフィルター４１は、ＩＣＧが７８０nmの波長の赤外光を吸収して発する赤外蛍光のピーク波長である８２０nmの近傍の光を透過し、それより短波長の光をカットする。バリアフィルター４１´は、アルブミンと結合したＩＣＧが８０５nmの波長の赤外光を吸収して発する赤外蛍光のピーク波長である８３５nmの近傍の光を透過し、それより短波長の光をカットする。これらバリアフィルタ４１,４１´の透過波長域特性を図２に示す。なお、Ｃがバリアフィルタ４１の透過曲線であり、Ｄがバリアフィルタ４１´の透過曲線である。
【００２３】
バリアフィルタ４１,４１´の撮影光路への挿入および光路からの離脱やバリアフィルタ４１,４１´の切り換はソレノイドＳ2(図３参照)によって行うものである。ソレノイドＳ2はフィルタ切換手段（切換手段）として機能する。
【００２４】
眼底ＥＦからの反射光による像は、対物レンズ２３、孔空きミラー２２の孔部２２a、合焦レンズ４２、結像レンズ４３を経て反射ミラー４４、マスク４５、フィールドレンズ４６、反射ミラー４７、リレーレンズ４８を介してテレビカメラ４９の撮像素子である例えばＣＣＤ４９a（受光手段）上に結像される。ＣＣＤ４９a上に結像された像の映像信号は、制御部６０を介してモニタ６１に入力されて、モニタ６１に眼底像Ｆがリアルタイムで映し出される。
【００２５】
［制御部］
制御部６０は、図３に示すように、制御回路（制御手段）６２と、観察用光源１１を点灯させる発光回路６７と、撮影光源３１を発光させる発光回路６８と、撮影した眼底像等を記録する記録装置８１と、撮像素子４９aで撮像した画像を記憶するメモリ８２（第２記憶手段）,８３（第１記憶手段）と、メモリ８２,８３に記憶された画像を処理してモニタ６１に小画面として表示せる画像処理回路（画像処理手段）８４とを有している。
【００２６】
制御回路６２は、操作部６９の操作による各種条件（例えば、合焦操作や撮影操作）等に応じてソレノイドＳ1,Ｓ2に駆動信号を出力し、発光回路６７,６８へ発光信号を出力する。
【００２７】
また、制御回路６２は、操作部６９により蛍光撮影モードが設定されている場合、切換スイッチ８５を押すとソレノイドＳ1,Ｓ2に駆動信号を出力して光路に挿入されているエキサイタフィルタ３２およびバリアフィルタ４１を例えば映像信号の１フィールド期間だけエキサイタフィルタ３２´およびバリアフィルタ４１´に切り換える。
【００２８】
さらに、制御回路６２は、ＣＣＤ４９aに撮像された眼底像を記録装置８１に記録したり、記録装置８１に記録した眼底像をモニタ６１に表示させたりするための制御を行う。
【００２９】
［可視撮影］
眼底カメラ本体の電源（共に図示せず）をＯＮさせると、先ず、制御回路６２は発光回路６７を作動させて観察用光源１１を点灯させる。この状態から、眼底ＥＦに対するアライメントを含めた合焦作業を行い、この合焦作業が完了すると、観察用光源１１からの照明光が観察照明光学系１０の各光学部品を介して眼底ＥＦに投影されて反射する。
【００３０】
一方、眼底ＥＦからの反射光は、観察・撮影光学系４０の対物レンズ２３から結像レンズ４３までの光学部品、反射ミラー４４、マスク４５、フィールドレンズ４６、反射ミラー４７、リレーレンズ４８等を介してテレビカメラ４９のＣＣＤ４９aに案内され、これにより、眼底像ＦがＣＣＤ４９aに結像され、眼底像Ｆが表示手段６１に表示されるとともに記録装置８１に記録される。
【００３１】
［赤外蛍光撮影］
眼底ＥＦの赤外蛍光撮影を行なう場合には、先ず、ＩＣＧ（インドシアニングリーン）を静注する。一方、操作部６９の操作によって蛍光撮影モードを設定する。この設定により、制御回路６２はソレノイドＳ1,Ｓ2を作動させてエキサイタフィルター３２とバリアフィルタ４１を照明光路と撮影光路に挿入する。
【００３２】
エキサイタフィルタ３２の挿入により眼底に７８０nmの近傍の波長の赤外光が投影され、眼底ＥＦの血管に蛍光剤が現れてくるとその赤外光が吸収されて眼底ＥＦから８２０nmの近傍の波長の赤外蛍光が発せられる。この赤外蛍光が観察・撮影光学系４０を介してテレビカメラ４９のＣＣＤ４９aに達し、ＣＣＤ４９a上に蛍光像が結像される。そして、蛍光像は表示手段６１に表示される。蛍光像は、血管に入った蛍光剤の流動に応じてその明るさが変化していく。
【００３３】
ＩＣＧを静注してから所定時間経過すると、血液中のアルブミンとＩＣＧが結合し、蛍光剤の吸収波長が７８０nmから８０５nmに変化するとともに眼底ＥＦから発する赤外蛍光の波長が８２０nmから８３５nmに変化するので、エキサイタフィルタ３２およびバリアフィルタ４１の透過特性によりＣＣＤ４９a上に結像される蛍光像の輝度は低く且つ蛍光像は不鮮明なものとなってくる。
【００３４】
検者はモニタ６１に表示される蛍光像の輝度が低くなってきたら、切換スイッチ８５を押す。これにより、制御回路６２は図４に示すように切換スイッチ８５が押されてからの垂直同期信号Ｈ1に合わせて期間Ｔ1の１フレームの映像信号Ｇ1をメモリ８２に記憶させる。この映像信号Ｇ1はエキサイタフィルタ３２およびバリアフィルタ４１が光路に挿入されているときの蛍光像の信号である。
【００３５】
そして、制御回路６２は、垂直同期信号Ｈ1の次の垂直同期信号Ｈ2に合わせてソレノイドＳ1,Ｓ2を駆動させ、エキサイタフィルタ３２およびバリアフィルタ４１をエキサイタフィルタ３２´およびバリアフィルタ４１´に切り換える。エキサイタフィルタ３２´およびバリアフィルタ４１´に切り換える時間は垂直同期信号Ｈ2が出力されている時間内に行い、エキサイタフィルタ３２´およびバリアフィルタ４１´は期間Ｔ2の１フレームの間だけ光路に挿入する。
【００３６】
このエキサイタフィルタ３２´およびバリアフィルタ４１´が光路に挿入されている際、ＣＣＤ４９aに結像された蛍光像の映像信号Ｇ3は期間Ｔ3に出力され、この映像信号Ｇ3をメモリ８３に記憶させる。次いで制御回路６２は、垂直同期信号Ｈ3に合わせてソレノイドＳ1,Ｓ2を駆動させ、光路に挿入されているエキサイタフィルタ３２´およびバリアフィルタ４１´をエキサイタフィルタ３２およびバリアフィルタ４１に切り換える。この切換時間も上記と同様に垂直同期信号Ｈ3が出力されている時間内に行う。
【００３７】
この結果、映像信号Ｇ4以後はエキサイタフィルタ３２およびバリアフィルタ４１が光路に挿入されている場合の映像信号となる。すなわち、映像信号Ｇ3のみがエキサイタフィルタ３２´およびバリアフィルタ４１´が光路に挿入されている際の映像信号である。
【００３８】
一方、画像処理回路８４は、ＣＣＤ４９aから出力される映像信号Ｇによりモニタ６１に蛍光像Ｆを表示させており、期間Ｔ3のとき映像信号Ｇ3をメモリ８２に記憶した映像信号Ｇ1に入れ換えてモニタ６１に蛍光像Ｆとして表示させる。すなわち、モニタ６１には、エキサイタフィルタ３２´およびバリアフィルタ４１´が光路に挿入されても、エキサイタフィルタ３２およびバリアフィルタ４１が光路に挿入されている場合の蛍光像Ｆが表示される。
【００３９】
この場合、期間Ｔ3では期間Ｔ1の映像信号Ｇ1の蛍光像Ｆが表示されるが、血液中のアルブミンとＩＣＧとが結合するころには眼底から発せられる蛍光の変動もゆっくりとなっているので支障はない。
【００４０】
また、画像処理回路８４は、メモリ８３に記憶された映像信号Ｇ3による蛍光像Ｆaをモニタ６１に子画面として表示させる。この蛍光像Ｆaは静止画であるが、蛍光像Ｆは動画像である。
【００４１】
検者は、モニタ６１に表示される蛍光像Ｆ,Ｆaを比較することにより、フィルタを切り換えた方が良いか否かを判断する。切り換えるのがまだ早いと判断したら、モニタ６１の蛍光像Ｆの輝度が少し低くなるのを待つ。そして、蛍光像Ｆの輝度が少し低くなったら、再度、切換スイッチ８５を押す。これにより、上記と同様にして、エキサイタフィルタ３２´およびバリアフィルタ４１´を光路に挿入した際の蛍光像Ｆa´がモニタ６１の子画面に表示される。
【００４２】
検者は、モニタ６１に表示される蛍光像Ｆ,Ｆa´を再度比較してフィルタを切り換えた方が良いか否かを判断する。切り換えた方が良いと判断した場合、操作部を操作して、エキサイタフィルタ３２´およびバリアフィルタ４１´に切り換える。そして、モニタ６１には、エキサイタフィルタ３２´およびバリアフィルタ４１´が光路に挿入されているときの蛍光像Ｆ´が表示される。
【００４３】
このように、切換スイッチ８５を押す毎にエキサイタフィルタ３２およびバリアフィルタ４１を光路に挿入したときの蛍光像Ｆと、エキサイタフィルタ３２´およびバリアフィルタ４１´を光路に挿入したときの蛍光像Ｆaとを比較することができ、これにより、輝度の高い鮮明な蛍光像を選択することができる。このため、蛍光剤の吸収波長の変化時期の個人差や静注するスピードに拘りなく、その蛍光剤の吸収波長の変化時期の前後であっても常に輝度の明るい鮮明な蛍光像を得ることができることとなる。
【００４４】
上記実施例では、検者がモニタ６１に表示される蛍光像Ｆ,Ｆaからフィルタの切り換えを判断するが、メモリ８２,８３に記憶された映像信号のレベルを比較してフィルタの切り換えを自動的に判断し、その切り換えを自動的に行なうようにしてもよい。
【００４５】
信号レベルを比較して行う方法としては、例えば、メモリ８２とメモリ８３の信号値の差をとり、この差が所定の値になったとき、フィルタの切換時期であると判断する方法がある。また、信号の形を比べて画像のシャープさを判断して行っても良い。この場合、例えば血管像の信号の立上りの鋭さを比較して判断するもので、メモリ８３に記憶された血管像の立上りがメモリ８２に記憶された血管像の立上りよりも鋭くなった場合、フィルタの切換時期であると判断する。
【００４６】
メモリ８２とメモリ８３の信号値の差の演算や、血管像の信号の立上りの鋭さの比較と判断は制御回路６２で行わせるが画像処理回路８４で行わせてもよい。そして、これらの場合、制御回路６２や画像処理回路８４が眼底画像の鮮明度を判断する鮮明度判断手段として機能することになる。
【００４７】
また、上記実施例では、切換スイッチ８５を押すと一度だけフィルタが切り換わるが、切換スイッチ８５を一度押せば一定周期毎に切り換わるようにしてもよい。また、切換スイッチ８５を省略してタイマを設け、このタイマの計時が予め設定した時間になったときから、一定周期毎にフィルタを切り換えてもよい。
【００４８】
図５は、エキサイタフィルタ３２,３２´を使用せずに、単波長光源であるレーザ光源９１,９２を使用した例を示したものである。レーザ光源９１は７８０nmの赤外光を発光し、レーザ光源９２は８０５nmの赤外光を発光するものである。９３は７８０nmの赤外光を反射し、８０５nmの赤外光を透過するダイクロイックミラーである。９４,９５は遮光板であり、光路への挿入や光路から離脱可能となっている。
【００４９】
この実施例では、両レーザ光源９１,９２とも発光させ、初期の段階では遮光板９５を光路に挿入してレーザ光源９２からのレーザ光を遮光し、レーザ光源９１から射出されるレーザ光で眼底ＥＦを照明するものである。そして、切換スイッチ８５が押されたら、上記と同様に、垂直同期信号Ｈ2に合わせて期間Ｔ2の間だけ、遮光板９４を光路に挿入し、遮光板９５を光路から離脱させる。この挿入離脱はエキサイタフィルタ３２,３２´と同様にソレノイドで行う。
【００５０】
上記実施例は、いずれも、蛍光剤であるＩＣＧを静注し、吸収波長の変化が７８０nm（短波長側）から８０５nm（長波長側）に変化する場合について説明したが、この逆に、他の蛍光剤を使用して吸収波長の変化が長波長側から短波長側へ変化する場合であってもよいことは勿論である。この場合、長波長側のエキサイタフィルタおよびバリアフィルタを短波長側のエキサイタフィルタおよびバリアフィルタに交換する。
【００５１】
＜第２実施例＞
図６ないし図８は第２実施例を示すものである。この実施例では、エキサイタフィルタ３２,３２´およびバリアフィルタ４１,４１´を円板７０,７１に設け、この円板７０,７１を図示しないモータによって高速回転させて、撮影のスタート時点から１フレーム毎にエキサイタフィルタ３２およびバリアフィルタ４１とエキサイタフィルタ３２´およびバリアフィルタ４１´とを交互に光路へ挿入していくものである。
【００５２】
エキサイタフィルタ３２およびバリアフィルタ４１が光路に挿入されているときの映像信号Ｇa1…を、図８に示すように、メモリ８２に記憶させ、エキサイタフィルタ３２´およびバリアフィルタ４１´が光路に挿入されているときの映像信号Ｇbをメモリ８３に記憶させる。画像処理回路８４は、メモリ８２,８３に記憶されている映像信号Ｇa,Ｇbのレベルを比較して輝度の高い映像信号を求め、輝度の高い映像信号によって蛍光像Ｆをモニタ６１に表示させる。
【００５３】
この場合、蛍光の初期段階では映像信号Ｇaの方が映像信号Ｇbよりも輝度が高いので、ＣＣＤ４９aから出力される映像信号Ｇa…とメモリ８２から出力される映像信号Ｇa…によって蛍光像Ｆを動画像としてモニタ６１に表示させる。
【００５４】
血液中のアルブミンとＩＣＧが結合して、蛍光剤の吸収波長が７８０nmから８０５nmに変化するとともに眼底ＥＦから発する赤外蛍光の波長が８２０nmから８３５nmに変化し、映像信号Ｇbの方が映像信号Ｇaよりも輝度が高くなってきたら、ＣＣＤ４９aから出力される映像信号Ｇb3…とメモリ８３から出力される映像信号Ｇb3…によって蛍光像Ｆ´を動画像としてモニタ６１に表示させる。
【００５５】
なお、メモリ８２に記憶された映像信号Ｇaとメモリ８３に記憶された映像信号Ｇbとを比較するに要する演算時間を考慮すると、例えばメモリ８２の出力は入力してから２フィールド後となる。このときは、メモリ８２を２つ設ける。
【００５６】
第２実施例は、映像信号のレベルを比較して輝度の高い方の映像信号によってモニタ６１に蛍光像を表示させたが、映像信号Ｇa,Ｇbを加算してモニタ６１に表示するようにしてもよい。すなわち、映像信号Ｇaによる眼底像と映像信号Ｇbによる眼底像とを重ねて合成し、この合成画像をモニタ６１に表示させる。この合成は画像処理回路８４によって行うものであり、画像処理回路８４が合成手段として機能することになる。
【００５７】
また、図６に示すエキサイタフィルタ３２,３２´を使用せずに、図５と同様に単波長光源であるレーザ光源９１,９２を使用してもよい。この場合、遮光板９４,９５の代わりに一部が開口した２つの円板を用い、これら円板を高速回転させて、レーザ光源９１,９２が射出するレーザ光を垂直同期信号に同期させて交互に眼底を照明させる。
【００５８】
また、上記実施例ではメモリ８２,８３に撮像した眼底像を記憶させているが、撮像素子４９cで撮像した眼底像をビデオで録画し、録画終了後に鮮明な眼底像のみを選択して編集し直してもよい。
【００５９】
【発明の効果】
この発明によれば、個人差によって蛍光剤の吸収波長の変化時期が異なっていても、また、静注するスピードが異なっていても、蛍光剤の吸収波長の変化時期の前後において常に輝度の明るい鮮明な蛍光像を得ることができる。
【図面の簡単な説明】
【図１】この発明に係る眼底カメラの実施例の光学系を示した光学配置図である。
【図２】各フィルタの透過特性を示したグラフである。
【図３】眼底カメラの制御系の構成を示したブロック図である。
【図４】図３の撮像素子が出力する映像信号とフィルタとの関係を示したタイムチャート図である。
【図５】２つのレーザ光源を使用した例を示した説明図である。
【図６】第２実施例を示した光学配置図である。
【図７】エキサイタフィルタを示した平面図である。
【図８】バリアフィルタを示した平面図である。
【図９】第２実施例の撮像素子とフィルタとの関係を示したタイムチャート図である。
【符号の説明】
１０…照明光学系
３２…エキサイタフィルタ
３２´…エキサイタフィルタ
４０…撮影光学系
４１…バリアフィルタ
４１´…バリアフィルタ
４９…ビデオカメラ
４９a…撮像素子
６１…モニタ
６２…制御回路
８１…メモリ
８２…メモリ
８４…画像処理回路
Ｓ1…ソレノイド
Ｓ2…ソレノイド
【図１】
0003539510.tif 000002
【図２】
0003539510.tif 000003
【図３】
0003539510.tif 000004
【図４】
0003539510.tif 000005
【図５】
0003539510.tif 000006
【図６】
0003539510.tif 000007
【図７】
0003539510.tif 000008
【図８】
0003539510.tif 000009
【図９】
0003539510.tif 000010